(57)【要約】  機器へデータおよびコマンドを伝送するためにディスプレイチャネルのバックチャネル帯域幅を利用するための機器制御システムおよび方法。このシステムおよび方法は、車両内部に配置された複数の機器に対して実施され得る。バックチャネル帯域幅は、機器クラスタを形成する複数の機器によって利用され得る。ディスプレイデータおよび機器データの伝送は、知られているデジタルプロトコルに準拠するシリアライズされたフォーマットで提供されるデータをデシリアライズするように構成されたプロセッサを利用し得る。
2021528015.tif 000002
【特許請求の範囲】
【請求項１】
車両の内部に少なくとも一部が配置された機器制御システムであって、
データストアと、
前記データストアおよび前記車両のコントローラバスの両者とデータ通信するプロセッサと、
最大伝送帯域幅を有するディスプレイチャネルを介して前記プロセッサとデータ通信するディスプレイであり、前記ディスプレイが、前記最大伝送帯域幅よりも小さい第１の伝送帯域幅で前記プロセッサからディスプレイデータを受信する、ディスプレイと、
前記ディスプレイチャネルを介して前記プロセッサとデータ通信する複数の機器であり、前記複数の機器が、前記最大伝送帯域幅と前記第１の伝送帯域幅との間の差異以下の第２の伝送帯域幅で前記プロセッサからデータを一括して受信し、前記プロセッサが、前記複数の機器の各々を制御するように動作可能である、複数の機器と
を備える、機器制御システム。
【請求項２】
前記プロセッサが、デシリアライザを備える、請求項１に記載の機器制御システム。
【請求項３】
前記デシリアライザの動作が、集積回路間（Ｉ２Ｃ：Ｉｎｔｅｒ−Ｉｎｔｅｇｒａｔｅｄ  Ｃｉｒｃｕｉｔ）規格に準拠する、請求項２に記載の機器制御システム。
【請求項４】
前記車両の前記コントローラバスが、コントローラエリアネットワーク（ＣＡＮ）バスを含む、請求項２に記載の機器制御システム。
【請求項５】
前記ディスプレイデータが、画像データを含む、請求項１に記載の機器制御システム。
【請求項６】
前記ディスプレイデータが、ＯｐｅｎＬＤＩ規格、エンベデッド・ディスプレイポート（ｅＤＰ：Ｅｍｂｅｄｄｅｄ  ＤｉｓｐｌａｙＰｏｒｔ）規格、またはリデュースド・ウィング・ディファレンシャル・シグナリング（ＲＳＤＳ：Ｒｅｄｕｃｅｄ  Ｓｗｉｎｇ  Ｄｉｆｆｅｒｅｎｔｉａｌ  Ｓｉｇｎａｌｉｎｇ）規格に従う、請求項５に記載の機器制御システム。
【請求項７】
前記ディスプレイデータが、固定されたビットレートで符号化されたビデオデータを含む、請求項１に記載の機器制御システム。
【請求項８】
前記ディスプレイが、タッチスクリーンディスプレイを含み、前記ビデオデータは、前記タッチスクリーンディスプレイがヒューマン−マシンインターフェースを提供するために利用することができるヒューマン−マシンインターフェースデータを含む、請求項７に記載の機器制御システム。
【請求項９】
前記複数の機器が、前記機器制御システムのユーザのためのヒューマン−マシンインターフェースを制御するように動作可能な汎用入力−出力プロセッサを備える、請求項１に記載の機器制御システム。
【請求項１０】
前記複数の機器が、発光ダイオード（ＬＥＤ）ディスプレイ、液晶ディスプレイ、速度計、タコメータ、エンジン温度計、燃料計、またはチャイム音発生器のうちの少なくとも２つを含む、請求項９に記載の機器制御システム。
【請求項１１】
前記複数の機器のうちの少なくとも１つが、動作の自動車安全水準（ＡＳＩＬ：Ａｕｔｏｍｏｔｉｖｅ  Ｓａｆｅｔｙ  Ｉｎｔｅｇｒｉｔｙ  Ｌｅｖｅｌ）規格に従う、請求項１０に記載の機器制御システム。
【請求項１２】
前記複数の機器のうちの少なくとも１つが、動作のＡＳＩＬ−Ｂ規格に従う、請求項１１に記載の機器制御システム。
【請求項１３】
機械可読データを含む非一時的な機械可読媒体であって、前記機械可読データが、プロセッサにより実行されるときに、前記プロセッサに
最大帯域幅を有するデータチャネルを通ってディスプレイへ画像データを伝送するステップであり、前記画像データ伝送が、前記最大帯域幅よりも小さい固定された第１の帯域幅を含む、画像データを伝送するステップと、
前記データチャネルを通って機器クラスタから動作データを受信するステップであり、前記動作データが、第２の帯域幅を含む、動作データを受信するステップと、
前記データチャネルを通って前記機器クラスタへコマンドデータを伝送するステップであり、前記コマンドデータが、第３の帯域幅を含み、前記第２の帯域幅と前記第３の帯域幅との和が、前記最大帯域幅と前記第１の帯域幅との差異以下である、コマンドデータを伝送するステップと
を実行させる、非一時的な機械可読媒体。
【請求項１４】
前記機械可読データが、前記画像データを伝送するためおよび前記コマンドデータを伝送するために動作可能なデシリアライザを備えるプロセッサにより実行されるように構成される、請求項１３に記載の非一時的な機械可読媒体。
【請求項１５】
前記機器クラスタが、発光ダイオード（ＬＥＤ）ディスプレイ、液晶ディスプレイ、速度計、タコメータ、エンジン温度計、燃料計、およびチャイム音発生器のうちの少なくとも２つを含む、請求項１３に記載の非一時的な機械可読媒体。
【請求項１６】
伝送チャネルにおいてデータプロセッサとディスプレイとの間の主データ接続を確立するステップであって、前記伝送チャネルが、最大帯域幅を有する、主データ接続を確立するステップと、
前記主データ接続を介して前記データプロセッサから前記ディスプレイへディスプレイ出力データを伝送するステップであって、前記ディスプレイ出力データが、前記最大帯域幅よりも小さいディスプレイ帯域幅を利用する、ディスプレイ出力データを伝送するステップと、
前記伝送チャネルにおいて前記データプロセッサと第１の機器との間の第２のデータ接続を確立するステップと、
前記第２のデータ接続を介して前記データプロセッサから前記第１の機器へ第１の機器データを伝送するステップであって、前記機器データが、前記最大帯域幅と前記ディスプレイ帯域幅との間の差異よりも小さい第１の機器帯域幅を利用する、第１の機器データを伝送するステップと
を含む、方法。
【請求項１７】
前記主データ接続を介して前記第１の機器から前記データプロセッサへ第１の応答データを伝送するステップであって、統合された第１の機器データおよび第１の応答データが、前記最大帯域幅と前記ディスプレイ帯域幅との間の差異よりも小さい統合された帯域幅を利用する、第１の応答データを伝送するステップをさらに含む、請求項１６に記載の方法。
【請求項１８】
前記伝送チャネルにおいて前記データプロセッサと第２の機器との間に第３のデータ接続を確立するステップと、
前記第３のデータ接続を介して前記データプロセッサから前記第２の機器へ第２の機器データを伝送するステップであって、統合された第１の機器データおよび第２の機器データが、前記最大帯域幅と前記ディスプレイ帯域幅との間の差異よりも小さい統合された帯域幅を利用する、第２の機器データを伝送するステップと
をさらに含む、請求項１６に記載の方法。
【請求項１９】
前記ディスプレイ帯域幅が、時間に関して一定の帯域幅利用を含む、請求項１６に記載の方法。
【発明の詳細な説明】
【技術分野】
【０００１】
この開示は、ヒューマン−マシンインターフェース、特に、車両のコンソール内部に配置されたヒューマン−マシンインターフェースの制御に関する。
【背景技術】
【０００２】
車両内の機器は、車両の機能を制御するためユーザのためのインターフェースを提供する。機器は、車両の機能を調整するために動作可能な中央コントローラバスに接続された機器クラスタのグループで運用されることがある。個別の機器クラスタは、各々の機器または機器クラスタに対して確保された専用のコントローラにより制御されることがある。コントローラは、回路またはプロセッサを備えることができる。機器クラスタは、運転することに適している車両の機能に向けられることがあるが、他の機器クラスタは、暖房／冷房、マルチメディア機能、室内照明のような、運転することではない機能に向けられることがある。機器とそれらのそれぞれのコントローラとの間で伝送される制御信号は、比較的小さな帯域幅を含むことができ、双方向伝送チャネルを利用することができる。
【発明の概要】
【０００３】
各々の機器または機器クラスタに対して専用のコントローラを利用することは、車両の機器クラスタのコストおよび複雑性を増加させる。複数の機器または機器クラスタに対して単一のコントローラを利用することは、車両制御のコストおよび複雑性を有利に軽減することができる。機器または機器クラスタは、比較的限られた伝送帯域幅を必要とすることがある。したがって、コントローラと装置との間の既存のチャネルは、既存のチャネルのサイドチャネルまたはバックチャネル内部での追加の伝送に適応するために十分に高い帯域幅を示すことがある。このような実装形態は、より少ない数のコントローラを用いて複数の機器の制御を有利なことに可能にすることができ、車両のコントローラシステムのコストおよび複雑性を軽減する。いくつかの実施形態は、有利なことにプログラマブルコントローラプロセッサを備えることができ、これがソフトウェアまたはファームウェアの更新を使用してさらに修正されることがある。
【０００４】
この開示の１つの態様は、車両内部に少なくとも一部が配置されたデータ処理システムに向けられる。データ処理システムは、データストアと、データストアおよび車両のコントローラバスとデータ通信するプロセッサと、最大伝送帯域幅を有するディスプレイチャネルを介してプロセッサとデータ通信するディスプレイと、プロセッサとデータ通信する複数の機器とを備えることができる。複数の機器は、ディスプレイチャネルを使用してプロセッサとのデータ通信を実現することができる。ディスプレイは、最大伝送帯域幅よりも小さい帯域幅を必要とし得、複数の機器は、バックチャネルを介して、ディスプレイチャネルに残っているいかなる帯域幅も利用することができる。
【０００５】
この開示のもう１つの態様は、機械可読データを含む非一時的な機械可読媒体に向けられ、機械可読データは、プロセッサにより実行されるときに、プロセッサに、最大帯域幅を有するデータチャネルを通ってディスプレイへ画像データを伝送するステップと、機器クラスタから動作データを受信するステップと、機器クラスタへコマンドデータを伝送するステップとを含むステップを実行させる。動作データおよびコマンドデータは、機器クラスタの機能を制御するために利用され得る。動作データおよびコマンドデータは、画像データの伝送のために必要とされない帯域幅を利用してデータチャネルを通って伝送され得る。
【０００６】
この開示のさらなる態様は、伝送チャネルを使用してデータプロセッサとディスプレイとの間の主データ接続を確立するステップを含む方法に向けられる。伝送チャネルは、主データ接続のために必要とされない帯域幅を利用して、データプロセッサと複数の機器との間の伝送にさらに適応することができる。
【０００７】
この開示の上記の態様および他の態様は、添付した図面を参照して下記により詳細に説明される。
【図面の簡単な説明】
【０００８】
【図１】ディスプレイ伝送チャネルのバックチャネルを利用する制御システムのブロック図である。
【図２】制御システム内での使用のためのバックチャネルとしてのディスプレイ伝送チャネルの利用を説明するフローチャートである。
【発明を実施するための形態】
【０００９】
図示した実施形態は、図面を参照して開示される。しかしながら、開示される実施形態は、様々な形態および代替の形態で具体化され得る単なる例となるように意図されていることを理解されたい。図は、必ずしも正確な縮尺である必要がなく、いくつかの特徴が、特定の構成要素の詳細を示すために誇張されるまたは最小化されることがある。開示された具体的な構造的詳細および機能的詳細は、限定するものとして解釈されるべきではなく、開示した概念をどのように実行するかを当業者に教示するための代表的な基礎として解釈されるべきである。
【００１０】
図１は、本明細書において開示される発明の実施形態による機器制御システム１００のブロック図を示す。図示された実施形態では、機器制御システム１００は、車両の動作に関係付けられることがあるが、他の実施形態は、本明細書において開示される教示から逸脱せずに他の構成を備えることができる。機器制御システム１００は、ディスプレイチャネル１０４を使用してディスプレイ１０３とデータ通信するプロセッサ１０１を備える。ディスプレイチャネル１０４は、最大の可能性のある帯域幅を有するデジタル伝送チャネルを備えることができるが、他の実施形態は、本明細書において開示される教示から逸脱せずにディスプレイチャネル１０４の他の実装形態を備えることができる。いくつかの実施形態では、ディスプレイチャネル１０４の最大の可能性のある帯域幅は、本明細書において開示される教示から逸脱せずにプロセッサ１０１の最大処理能力として代わりに特徴付けられることがある。ディスプレイチャネル１０４は、ＦＰＤ−Ｌｉｎｋ、ＯｐｅｎＬＤＩ、エンベデッド・ディスプレイポート（ｅＤＰ：Ｅｍｂｅｄｄｅｄ  ＤｉｓｐｌａｙＰｏｒｔ）、リデュースド・スウィング・ディファレンシャル・シグナリング（ＲＳＤＳ：Ｒｅｄｕｃｅｄ  Ｓｗｉｎｇ  Ｄｉｆｆｅｒｅｎｔｉａｌ  Ｓｉｇｎａｌｉｎｇ）プロトコル、または本明細書において開示される教示から逸脱せずに当業者には知られたディスプレイデータを伝送するために適したいずれかの他の伝送プロトコル、などの、高帯域幅伝送プロトコルを含むことができる。ディスプレイ１０３は、カラー、非カラー（例えば、グレイスケール）、または本明細書において開示される教示から逸脱しない両者の組み合わせであってもよい。ディスプレイ１０３は、ＬＣＤ、ＬＥＤ、ＶＧＡ、ＯＬＥＤ、ＳＶＧＡ、ＣＲＴ、または本明細書において開示される教示から逸脱せずに当業者には知られたいずれかの他の代替構成を含め、任意のタイプのディスプレイとして実装されることがある。ディスプレイ１０３は、本明細書において開示される教示から逸脱せずにタッチスクリーン機能を提供することができる。
【００１１】
ディスプレイチャネル１０４は、プロセッサ１０１とディスプレイ１０３との間のデータの伝送がディスプレイチャネル１０４の最大の可能性のある帯域幅未満である十分に大きな帯域幅を含むことができる。図示された実施形態では、ディスプレイチャネル１０４の使用されていない帯域幅は、複数の機器１０７を含んでいる機器クラスタ１０５と制御データを交換するために利用されることがある。ディスプレイチャネル１０４の使用されていない帯域幅の利用は、プロセッサ１０１と機器クラスタ１０５との間にバックチャネル１０９を形成することができる。バックチャネル１０９は、プロセッサ１０１と機器クラスタ１０５との間に双方向通信を提供することができる。バックチャネル１０９を利用する通信は、デジタル通信規格に準拠することがある。図示された実施形態では、バックチャネル１０９は、集積回路間（Ｉ２Ｃ：Ｉｎｔｅｒ−Ｉｎｔｅｇｒａｔｅｄ  Ｃｉｒｃｕｉｔ）プロトコルを利用することができるが、他の実施形態は、本明細書において開示される教示から逸脱しない他の規格を利用することができる。他の実施形態は、本明細書において開示される教示から逸脱せずにバックチャネル１０９に加えて他のバックチャネルを備えることができる。いずれの実施形態においても、バックチャネルの集合的な帯域幅要件は、ディスプレイチャネル１０４の最大の可能性のある帯域幅とディスプレイ１０３により利用される帯域幅との間の差異よりも小さいことである。
【００１２】
機器クラスタ１０５は、複数の機器１０７を備えることができる。バックチャネル１０９を一括して使用している機器１０７の統合した帯域幅要件は、有利なことにはディスプレイチャネル１０４の最大の可能性のある帯域幅とディスプレイ１０３の動作のために必要とされる帯域幅との間の差異以下であることである。いくつかの実施形態では、ディスプレイ１０３により必要とされる帯域幅は、時間に関して固定された帯域幅であってもよく、これが有利なことに、バックチャネル１０９により利用される帯域幅のいつも一定の量を残すことができる。いくつかのこのような実施形態では、ディスプレイ１０３により必要とされるデータは、固定されたビットレートを有し、車両のヘッドユニットのメニューシステムなどの、車両とのヒューマン−マシンインターフェースのディスプレイを記述するビデオデータを含むことができる。いくつかの実施形態では、ディスプレイ１０３は、タッチスクリーンディスプレイを備えることができ、その結果、ディスプレイチャネル１０４がプロセッサ１０１とディスプレイ１０３との間の双方向通信を含むことができるが、他の実施形態は、本明細書において開示される教示から逸脱しない一方向だけの通信を含むことができる。いくつかのこのような実施形態では、ディスプレイ１０３のタッチスクリーン構成要素は、ディスプレイ１０３により提示されるヒューマン−マシンインターフェースのメニューシステムなどの、オン−スクリーングラフィックを用いてヒューマンインターラクションのために動作可能であってもよい。
【００１３】
図示された実施形態では、機器クラスタ１０５は、３つの機器１０７ａ、１０７ｂ、および１０７ｃを備えるが、他の実施形態は、本明細書において開示される教示から逸脱せずに異なる数の機器を備えることができる。図示された実施形態では、機器１０７ａは、汎用入力／出力（ＧＰＩＯ）エキスパンダを備えることができ、機器１０７ｂは、発光ダイオード（ＬＥＤ）ドライバを備えることができ、機器１０７ｃはステッパモータドライバを備えることができる。他の実施形態は、ＬＥＤディスプレイ、液晶ディスプレイ（ＬＣＤ）、速度計、タコメータ、エンジン温度計、燃料計、チャイム音発生器、または当業者には知られている任意の他の機器などの、本明細書において開示される教示から逸脱しない違った機器を備えることができる。機器１０７は、ヒューマン−マシンインターフェースの構成要素を備えることができる、または機器制御システム１００、関係する車両、もう１つの装置、もしくは本明細書において開示される教示から逸脱しない当業者には知られている任意の他の装置の機能をモニタするためもしくは制御するために使用可能な別の機器を備えることができる。任意の実施形態では、バックチャネル１０９を利用している機器１０５の集合的な帯域幅要件は、ディスプレイチャネル１０４の最大の可能性のある帯域幅とディスプレイ１０３により使用され帯域幅との間の差異よりも小さいことだろう。図示された実施形態では、ディスプレイチャネル１０４およびバックチャネル１０９は、プロセッサ１０１と単一のインターフェースを備えるが、他の実施形態は、本明細書において開示される教示から逸脱せずにディスプレイチャネル１０４およびバックチャネル１０９用の別々のデータ通信チャネルを有する構成を備えることができる。
【００１４】
いくつかの実施形態では、機器１０７は、自動車安全水準（ＡＳＩＬ：Ａｕｔｏｍｏｔｉｖｅ  Ｓａｆｅｔｙ  Ｉｎｔｅｇｒｉｔｙ  Ｌｅｖｅｌ）のプロトコルのような、動作の特定の規格に準拠するように構成されることがある。図示された実施形態では、機器１０７ｂは、ＡＳＩＬ−Ｂ規則順守の要件に準拠するＬＥＤドライバを備えることができるが、他の実施形態は、本明細書において開示される教示から逸脱しない他の構成を備えることができる。限定ではなく例として、機器１０７の他の構成は、ＡＳＩＬ−Ｂ規則順守に準拠するＬＣＤ画像ディスプレイ、またはＡＳＩＬ−Ａ規則順守に準拠するチャイム音発生器を備えることができる。他の実施形態は、国際標準化機構（ＩＳＯ：Ｉｎｔｅｒｎａｔｉｏｎａｌ  Ｏｒｇａｎｉｚａｔｉｏｎ  ｏｆ  Ｓｔａｎｄａｒｄｉｚａｔｉｏｎ）により考案された規格、国際電気標準会議（ＩＥＣ：Ｉｎｔｅｒｎａｔｉｏｎａｌ  Ｅｌｒｃｔｒｏｔｅｃｈｎｉｃａｌ  Ｃｏｍｍｉｓｓｉｏｎ）により考案された規格、または本明細書において開示される教示から逸脱せずに地方、地域、国家、もしくは国際的な法律もしくは規則により決定された規格、などの他の規格に準拠する機器１０７の構成を備えることができる。複数の機器１０７のうちのいくつかは、本明細書において開示された教示から逸脱しない動作の１つまたは複数の規格に準拠することがある。
【００１５】
プロセッサ１０１は、バックチャネル１０９を介して機器１０７と効率的に通信するように構成されることがある。いくつかの実施形態では、プロセッサ１０１は、特定のフォーマットでのデータを受信し、機器１０７のうちの１つと通信するためにデータをデシリアライズするように構成されたデシリアライザを備えることができ、その結果、データ内部の特定のコマンドがプロセッサ１０１により範囲を定められることがあり、機器１０７のうちの適切な１つへ送信されることがある。プロセッサ１０１は、プロセッサ１０１とデータ通信する車両制御バス１１１、データストア１１３、または外部データソース１１５からデータを受信することができる。限定ではなく例として、プロセッサ１０１は、機器１０７のうちの１つまたは複数を制御するように動作可能な車両制御バス１１１からシリアライズされたデータを受信することができる。プロセッサ１０１は、受信したデータをデシリアライザすることでき、応答で機器１０７のうちの適切な１つまたは複数に制御データを提供することができる。
【００１６】
図示された実施形態では、車両制御バス１１１は、コントローラエリアネットワーク（ＣＡＮ：Ｃｏｎｔｒｏｌｌｅｒ  Ａｒｅａ  Ｎｅｔｗｏｒｋ）規格などの特定のプロトコル、または本明細書において開示される教示から逸脱せずに装置を制御するために十分である当業者には知られたいずれかの他のプロトコルに準拠することがある。プロセッサ１０１は、車両制御バス１１１から受信したデータを機器１０７での使用のためにＩ２Ｃフォーマットに準拠するようにフォーマット化される一連のコマンドへとデシリアライズするように動作できるデシリアライザを備えることができる。他の実施形態は、本明細書において開示された教示から逸脱しない他の限定を含むことがある。
【００１７】
データストア１１３は、プロセッサ１０１、ディスプレイ１０３の動作のために有用なデータを含むことができる。データストア１１３は、コンピュータ実行可能な命令または記憶媒体に記憶されたデータ構造を搬送するまたは保持するための非一時的なコンピュータ可読記憶媒体または機械可読媒体として具体化されることがある。このような非一時的なコンピュータ可読記憶媒体または機械可読媒体は、汎用コンピュータまたは専用コンピュータによりアクセス可能なハードウェアまたは物理的形態で具体化されたいずれかの利用可能な媒体であってもよい。限定ではなく例として、このような非一時的なコンピュータ可読記憶媒体または機械可読媒体は、ランダムアクセスメモリ（ＲＡＭ）、読出し専用メモリ（ＲＯＭ）、電気的消去書込み可能な読出し専用メモリ（ＥＥＰＲＯＭ）、光学ディスクストレージ、磁気ディスクストレージ、リニア磁気データストレージ、磁気記憶装置、フラッシュメモリ、またはコンピュータ実行可能な命令もしくはデータ構造の形態で所望のプログラムコード手段を搬送するもしくは記憶するために使用され得るいずれかの他の媒体を含むことができる。上記の組み合わせもまた、非一時的コンピュータ可読記憶媒体または機械可読媒体の範囲内に含まれるべきである。
【００１８】
いくつかの実施形態では、データストア１１３は、それ自体の動作のためにプロセッサ１０１によって使用可能な命令を含むことができる。データストア１１３は、ヒューマン−マシンインターフェースのグラフィック構成要素などの、ディスプレイ１０３の制御のために有用なグラフィックデータ、または車両の動作を記述している解析的データ、または本明細書において開示される教示から逸脱せずに車両のユーザへのプレゼンテーションのために有用になる当業者によって認識された他のデータを含むことができる。図示された実施形態では、追加の解析的データが、車両制御バス１１１からプロセッサ１０１により受信されることがある。
【００１９】
図示された実施形態では、プロセッサ１０１はまた、外部データソース１１５とデータ通信し、外部データソースは、機器制御システム１００、ディスプレイ１０３、機器１０７のうちの１つもしくは複数、関係する車両の動作に対して有用な他のデータ、または本明細書において開示された教示から逸脱せずに当業者により有用であるように認識されたいずれかの他の代替のデータを提供するように動作可能であってもよい。外部データソース１１５は、本明細書において開示される教示から逸脱せずにプロセッサ１０１と有線接続または無線接続されることがある。外部データソース１１５は、プロセッサ１０１、ディスプレイ１０３、機器１０７のうちの１つもしくは複数、または車両制御バス１１１のうちの１つと動作可能であるコマンドデータを含むことができる。いくつかの実施形態では、プロセッサ１０１は、ディスプレイチャネル１０４を伝う伝送のために車両制御バス１１１、データストア１１３、または外部データソース１１５からのデータおよびコマンドをデシリアライズするように構成されることがある。いくつかの実施形態では、プロセッサ１０１は、シリアライザとして動作するように構成されることがある。いくつかのこのような実施形態では、プロセッサ１０１は、本明細書において開示された教示から逸脱することなくディスプレイチャネル１０４を伝う伝送のために車両制御バス１１１、データストア１１３、または外部データソース１１５からのデータおよびコマンドをシリアライズするように構成されることがある。いくつかの実施形態では、プロセッサ１０１は、本明細書において開示された教示から逸脱せずに車両制御バス１１１、データストア１１３、または外部データソース１１５のうちの１つまたは複数への伝送のためにディスプレイ１０３、機器１０７、車両制御バス１１１、データストア１１３、または外部データソース１１５のうちの１つまたは複数からのデータおよびコマンドをシリアライズするように構成されることがある。
【００２０】
図２は、本明細書において開示された教示の実施形態による車両制御システムのディスプレイチャネル内部に制御バックチャネルを確立する方法のフローチャートである。ステップ２００において、プロセッサは、ディスプレイへの主データ接続を確立する。主データ接続は、可能性のある最大帯域幅を含む。
【００２１】
ステップ２０２において、ディスプレイデータは、主データ接続を利用し、主データ接続の可能性のある最大帯域幅よりも小さい全帯域幅を利用してプロセッサからディスプレイへ伝送される。
【００２２】
ステップ２０４へ進んで、プロセッサは、プロセッサとディスプレイ以外の車両の他の機器との間の代わりのデータ接続を確立する。機器は、ＬＥＤディスプレイ、ＬＣＤ、速度計、タコメータ、エンジン温度計、燃料計、チャイム音発生器、ＧＰＩＯモジュール、ステッパモータドライバ、ＬＥＤドライバ、または本明細書において開示された教示から逸脱しない車両の動作のために有用である当業者には知られたいずれかの他の機器などの車両を動作させる際に有用であるヒューマン−マシンインターフェース構成要素、または解析的機器を含むことができる。機器の全帯域幅要件は、主データ接続の最大の可能性のある帯域幅とディスプレイにより利用される帯域幅との間の差異よりも小さいことである。ディスプレイにより使用されていない主データ接続の帯域幅は、他の伝送のために使用可能な帯域幅のバックチャネルを形成できる。したがって、ステップ２０６において、機器データは、プロセッサとバックチャネル帯域幅を利用している機器との間で伝送される。
【００２３】
いくつかの実施形態は、本明細書において開示された教示から逸脱せずにバックチャネルを利用する異なる数の機器を備えることがある。複数の機器を有するいくつかの実施形態では、各々の個別の機器とのデータ接続は、個別に確立されることがある、またはデータ接続は、機器クラスタの一部として一括して機器のうちのいくつかまたはすべてと確立されることがある。
【００２４】
いくつかの実施形態では、データ接続の確立は、本明細書において開示された教示から逸脱せずに主データ接続を使用するすべてのデータの伝送の前に完了することがある。いくつかの実施形態では、ステップ２０６の伝送は、主データ接続を使用して追加のディスプレイデータを伝送するためにステップ２０２へ戻る方法に結果としてなることがある。いくつかの実施形態では、方法は、ディスプレイを更新するため、バックチャネルを使用して機器データを伝送することを続けるためにステップのうちの１つまたは複数を介して繰返し循環させることがある。いくつかの実施形態では、ディスプレイは、画像データの一定ビットレート伝送などの固定された帯域幅を利用するように構成されることがある。そのような実施形態では、固定された帯域幅利用は、バックチャネル帯域幅のより確かな利用を有利なことに提供することができる。いくつかの実施形態では、プロセッサは、外部ソースからシリアライズされたデータを受信し、ディスプレイおよび複数の機器とコマンドまたは他のデータの伝送のためにデータをデシリアライズするように構成されることがある。
【００２５】
例示的な実施形態が上に記述されているが、これらの実施形態が開示した装置および方法のすべての可能な形態を記述するものではない。むしろ、明細書において使用した言葉は、限定というよりはむしろ説明の言葉であり、様々な変更が権利を主張したような開示の趣旨および範囲から逸脱せずに行われてもよいことが理解される。様々な実施している実施形態の特徴が、開示した概念のさらなる実施形態を形成するために組み合わせられることがある。
【図１】
2021528015.tif 000003
【図２】
2021528015.tif 000004
【国際調査報告】
2021528015.tif 000005
2021528015.tif 000006